【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
試験手順を通信ネットワークのネットワーク要素に対して実行する試験部と、
該通信ネットワークのネットワーク要素と関連するマシン可読コードを読み取るマシン可読コードリーダと、
コンピュータと、を備える試験デバイスであって、
該コンピュータが、
該マシン可読コードリーダによって読み取られたマシン可読コードデータと関連するコンポーネントの種類を判定することと、
該判定されたコンポーネントの種類に基づいて、複数の構成ファイルから構成ファイルを選択することと、
該選択された構成ファイルを使用して、試験手順のための該試験部を構成することと、該試験部に指示して該ネットワーク要素に対し該試験手順を実行することを行うように構成されている試験デバイス。
【請求項２】
前記構成ファイルは、前記コンポーネントの種類と関連する試験仕様書に基づいて更に選択される、請求項１に記載の試験デバイス。
【請求項３】
前記試験仕様書は、国際試験仕様書、製造者の理想的な試験仕様書、及び製造者の実際の試験仕様書のうち少なくとも１つを含む、請求項２に記載の試験デバイス。
【請求項４】
前記選択された構成ファイルは、該ネットワーク要素と関連するインターフェイスのアレイに対して識別を割り当てるための付番変換を特定し、前記コンピュータは、該アレイ内の次のインターフェイスに進むリクエストに応じて、該ネットワーク要素と関連する付番変換に従って、インターフェイスの該識別を選択するように更に構成されている、請求項１に記載の試験デバイス。
【請求項５】
前記コンピュータは、関連するマシン可読コードを未だ有さない第２のネットワーク要素と関連する固有のマシン可読コードを生成し、該マシン可読コードをストレージデバイス及びプリンタのうち少なくとも一方に出力するように更に構成されている、請求項１に記載の試験デバイス。
【請求項６】
前記固有のマシン可読コードは、前記第２のネットワーク要素と関連する試験手順の履歴、前記第２のネットワーク要素と関連して実行されたトラブルシューティングの手順の履歴、前記第２のネットワーク要素のハードウェア、構成、又は位置に対する変更、前記第２のネットワーク要素と関連する特定の不具合、前記第２のネットワーク要素の近傍の他のネットワーク要素の一覧、特定の時間、前記第２のネットワーク要素とやりとりした特定されたオペレータ、及び前記第２のネットワーク要素と関連する他のネットワーク要素のうち少なくとも１つと関連している、請求項５に記載の試験デバイス。
【請求項７】
マシン可読コードを読み取るマシン可読コードリーダと、
コンピュータとを備えるモバイルデバイスであって、
該コンピュータが、
通信ネットワークに含まれる第１のネットワーク要素に対して試験手順を実行するための指示を受信することであって、該第１のネットワーク要素は、関連する第１のマシン可読コードを有する、ことと、
該リーダにより読み取られた第２のマシン可読コードと関連するリーダ出力を受信することであって、該第２のマシン可読コードは、発見された該通信ネットワークの第２のネットワーク要素と関連し、該第２のマシン可読コードは、該第２のネットワーク要素の位置を示す第２のネットワーク要素データと関連している、ことと、
該第２のマシン可読コードと関連する第１のネットワーク要素データに含まれる該第１のネットワーク要素の位置にアクセスすることと、
該読み取られた第２のマシン可読コードと関連する該第２のネットワーク要素データにおける該第２のネットワーク要素の位置にアクセスすることと、
地図又は航行可能方向のうち少なくとも１つを提供することにより、該第２のネットワーク要素に対する試験中の該第１のネットワーク要素の位置を示すことと、を行うように構成されているモバイルデバイス。
【請求項８】
前記第１のネットワーク要素は、第１のエンドポイント及び第２のエンドポイントを有するケーブルの該第１のエンドポイントであり、前記コンピュータは、
前記第１のネットワーク要素データから該第２のエンドポイントを識別することと、
該識別された第２のエンドポイントと関連する第２のネットワーク要素データを判定することと、
該第２のネットワーク要素データに基づいて、該第２のエンドポイントの位置を判定することと、地図又は航行可能方向のうち少なくとも１つを提供することにより、位置の基準点及び該第１のエンドポイントのうち一方の位置に対する該第２のエンドポイントの位置を示すことと、を行うように構成されている、請求項７に記載のモバイルデバイス。
【請求項９】
第２のネットワークを介して通信するためのネットワーク通信インターフェイスを更に含み、該第２のネットワークを介した該通信により、前記モバイルデバイスの位置が示され、前記コンピュータは、
前記リーダにより読み取られた前記第１のマシン可読コードと関連するリーダ出力を受信することと、
前記第１のマシン可読コードを読み取る前記リーダの閾値時間内に発生した通信に基づいて、前記モバイルデバイスの近似位置を判定することと、該近似位置を組み込む統計に基づいて、前記第１のマシン可読コードと関連する前記第１のネットワーク要素データ内の前記位置を更新することと、を行うように更に構成されている、請求項７に記載のモバイルデバイス。
【請求項１０】
前記近似位置は、位置特定サービスを使用して判定される、請求項９に記載のモバイルデバイス。
【請求項１１】
前記第１のマシン可読コード及び前記第１のネットワーク要素データは、前記第１のマシン可読コードを生成することと、前記第１のマシン可読コードと関連する前記第１のネットワーク要素データを更新することと、前記第１のネットワーク要素データに含まれる前記位置を更新することと、のうち少なくとも１つのための複数のモバイルデバイスにアクセス可能であり、前記モバイルデバイスは、前記第１のマシン可読コードを生成することと、前記第１のマシン可読コードと関連する前記第１のネットワーク要素データを更新することと、前記第１のネットワーク要素データに含まれる前記位置を更新することと、のうち少なくとも１つを協働して行うための前記複数のモバイルデバイスを備える、請求項７に記載のモバイルデバイス。
【請求項１２】
前記コンピュータは、前記複数のモバイルデバイスにより生成又はアクセスされたマシン可読コードと関連する位置データを使用して生成された地図にアクセスすることと、前記第１のマシン可読コードとやりとりする所定の時間間隔内に前記モバイルデバイスにより生成又は更新された前記第１のネットワーク要素データにより、該地図を更新することと、を行うように更に構成されている、請求項１１に記載のモバイルデバイス。
【請求項１３】
前記第１のネットワーク要素を含む画像を撮像するカメラと、
コンピュータとを更に備えるモバイルデバイスであって、
該コンピュータが、
前記リーダにより読み取られた前記第１のマシン可読コードと関連するリーダ出力を受信することと、
前記第１のマシン可読コードと関連する前記第１のネットワーク要素データにアクセスすることと、
前記第１のネットワーク要素データを該画像と統合することと、
前記第１のネットワーク要素と視覚的に関連する該統合された第１のネットワーク要素データを有する該画像を表示することと、を行うように構成されている請求項７に記載のモバイルデバイス。
【請求項１４】
前記コンピュータは、
前記画像を撮像する際、前記カメラの視野内に位置する第３のネットワーク要素の識別を判定することと、
該識別に基づいて、該第３のネットワーク要素と関連する第３のネットワーク要素データにアクセスすることと、該第３のネットワーク要素データを表示することと、を行うように更に構成されている、請求項１３に記載のモバイルデバイス。
【請求項１５】
前記コンピュータは、
前記第３のネットワーク要素データを前記画像と統合することと、前記第３のネットワーク要素と視覚的に関連する該統合された第３のネットワーク要素データを有する前記画像を表示することと、を行うように更に構成されている、請求項１４に記載のモバイルデバイス。
【請求項１６】
前記第１のネットワーク要素データ及び前記第３のネットワーク要素データの前記画像との前記統合は、拡張現実を使用して実行される、請求項１５に記載のモバイルデバイス。
【請求項１７】
前記第３のネットワーク要素の前記識別は、画像認識処理、前記通信ネットワークの地図、前記ネットワーク、前記第１のネットワーク要素データが含まれる近接ネットワーク要素に関するデータのうち少なくとも１つを使用して判定される、請求項１４に記載のモバイルデバイス。
【請求項１８】
前記第１のネットワーク要素は、複数のケーブルインターフェイスを含み、前記第３のネットワーク要素は、該それぞれのケーブルインターフェイスに対応する複数のケーブルエンドポイントを含み、前記コンピュータは、
該ケーブルエンドポイントのそれぞれと関連する前記第３のネットワーク要素データを判定し、前記第３のネットワーク要素データを前記画像と統合することと、該対応するケーブルインターフェイスと視覚的に関連する該統合された第３のネットワーク要素データを有する前記画像を表示することと、を行うように構成されている、請求項１４に記載のモバイルデバイス。
【請求項１９】
前記カメラは、前記カメラが動く際、一連の画像を撮像し、前記コンピュータは、画像基準点として、前記第１のマシン可読コードを使用して、前記第１のネットワーク要素データ及び前記第３のネットワーク要素データの、該一連の画像との前記統合を、拡張現実を使用して、実行するように更に構成されている、請求項１４に記載のモバイルデバイス。
【請求項２０】
試験デバイスにより、ターゲットとなるネットワーク要素に対する試験手順を実行するとの要求を受け取ることと、
該試験デバイスにより、非ターゲットネットワーク要素についてのマシン可読コードに関連するデータをマシン可読コードリーダから受け取ることと、
該試験デバイスにより、非ターゲットネットワーク要素についてのマシン可読コードに関連する該データを用いて、前記ターゲットネットワーク要素の位置を判定することと、
該試験デバイスの利用者にターゲットネットワーク要素の該位置の表示を提供することと、
からなる方法。
【手続補正２】
【補正対象書類名】明細書
【補正対象項目名】０００５
【補正方法】変更
【補正の内容】
【０００５】
これら及び他の利点を実現するために、かつ例示的な実施形態の目的に従って、本発明の１つの態様では、試験手順を通信ネットワークのネットワーク要素に対して実行する試験部と、通信ネットワークのネットワーク要素と関連するマシン可読コードを読み取るためのマシン可読コードリーダとを備える試験デバイスが開示されている。試験デバイスは、マシン可読コードリーダによって読み取られたマシン可読コードデータと関連するコンポーネントの種類を判定することと、判定されたコンポーネントの種類に基づいて複数の構成ファイルから構成ファイルを選択することと、選択された構成ファイルを使用して、試験手順のための試験部を構成することと、試験部に指示してネットワーク要素に対し試験手順を実行することを行うように構成されている、コンピュータデバイスを更に備える。
【手続補正３】
【補正対象書類名】明細書
【補正対象項目名】０００６
【補正方法】変更
【補正の内容】
【０００６】
本発明の更なる態様では、モバイルデバイスが開示されている。モバイルデバイスは、マシン可読コードを読み取るためのマシン可読コードリーダと、コンピュータと、を備える。コンピュータは、通信ネットワークに含まれる第１のネットワーク要素に対して試験手順を実行する指示を受信することであって、第１のネットワーク要素は、関連する第１のマシン可読コードを有する、ことを行うように構成されている。コンピュータは、リーダにより読み取られた第２のマシン可読コードと関連したリーダ出力を受信することであって、第２のマシン可読コードは、発見された通信ネットワークの第２のネットワーク要素と関連し、第２のマシン可読コードは、第２のネットワーク要素の位置を示す第２のネットワーク要素データと関連する、ことと、第２のマシン可読コードと関連する第１のネットワーク要素データに含まれる第１のネットワーク要素の位置にアクセスすることと、読み取られた第２のマシン可読コードと関連する第２のネットワーク要素データ内の第２のネットワーク要素の位置にアクセスすることと、地図又は航行可能方向のうち少なくとも１つを提供することにより、第２のネットワーク要素に対する試験中の第１のネットワーク要素の位置を示すことと、を行うように更に構成されている。
本発明のより更なる態様では、試験デバイスにより、ターゲットとなるネットワーク要素に対する試験手順を実行するとの要求を受け取ることと、該試験デバイスにより、非ターゲットネットワーク要素についてのマシン可読コードに関連するデータをマシン可読コードリーダから受け取ることと、該試験デバイスにより、非ターゲットネットワーク要素についてのマシン可読コードに関連する該データを用いて、前記ターゲットネットワーク要素の位置を判定することと、該試験デバイスの利用者にターゲットネットワーク要素の該位置の表示を提供することとからなる方法が提供されている。